(57)【特許請求の範囲】
【請求項１】
照明制御装置から導出した多重伝送線に、受光した反射光の計測値を照明制御装置に送出する照度計測端末器と、照明制御装置からの制御により照明器具の調光制御を行う調光端末器とを接続した照明制御システムにおいて、
上記照度計測端末器は、
受光した光を電気信号に変換する受光部と、
この電気信号を予め設定されたゲインにより増幅して電圧値として出力する増幅部と、
この電圧値よりＡ／Ｄ変換し、データテーブルから計測値を得るとともに、計測値が計測範囲の上限付近である場合に、オーバーレンジ判断を行う演算部と、
オーバーレンジ表示を行うオーバーレンジ表示部と、
計測値やオーバーレンジ警告を多重伝送信号で送出するための伝送ドライブ部とを備え、
上記照明制御装置は、
上記照度計測端末器から多重伝送線を介して計測値を受信し、また、オーバーレンジ警告信号を受信するとともに、調光端末器に対して多重伝送線を介して調光信号を送出するための伝送ドライブ部と、
受信した計測値を基に、上記調光制御端末器に送出する調光制御値を演算するとともに、上記照度計測端末器からのオーバーレンジ警告によりオーバーレンジ警告表示判断を行う演算部と、
この判断により警告表示を行う表示部とを備えており、
照度計測端末器がオーバーレンジ警告を照明制御装置に送出したときには、照明制御装置にてオーバーレンジ警告表示を行うことを特徴とする照明制御システム。
【請求項２】
照明制御装置から導出した多重伝送線に、受光した反射光の計測値を照明制御装置に送出する照度計測端末器と、照明制御装置からの制御により照明器具の調光制御を行う調光端末器とを接続した照明制御システムにおいて、
上記照度計測端末器は、
受光した光を電気信号に変換する受光部と、
この電気信号を予め設定されたゲインにより増幅して電圧値として出力する増幅部と、
この電圧値よりＡ／Ｄ変換し、データテーブルから計測値を得るとともに、計測値が計測範囲の下限付近である場合に、オーバーレンジ判断を行う演算部と、
オーバーレンジ表示を行うオーバーレンジ表示部と、
計測値やオーバーレンジ警告を多重伝送信号で送出するための伝送ドライブ部とを備え、
上記照明制御装置は、
上記照度計測端末器から多重伝送線を介して計測値を受信し、また、オーバーレンジ警告信号を受信するとともに、調光端末器に対して多重伝送線を介して調光信号を送出するための伝送ドライブ部と、
受信した計測値を基に、上記調光制御端末器に送出する調光制御値を演算するとともに、上記照度計測端末器からのオーバーレンジ警告によりオーバーレンジ警告表示判断を行う演算部と、
この判断により警告表示を行う表示部とを備えており、
照度計測端末器がオーバーレンジ警告を照明制御装置に送出したときには、照明制御装置にてオーバーレンジ警告表示を行うことを特徴とする照明制御システム。
【請求項３】
上記照明制御装置は、オーバーレンジ警告を受けたときには、上記照度計測端末器に対して、レンジ変更を制御することを特徴とする請求項１又は請求項２に記載の照明制御システム。
【発明の詳細な説明】
【０００１】
【発明の属する技術分野】
本発明は、照明制御装置が、照度計測端末器の計測値に基づいて、照明器具の調光制御を行うようになっている照明制御システムに関する。
【０００２】
【従来の技術】
従来の照明制御システムの例を図６に示す。このシステムでは、照明制御装置１００の伝送ドライブ部１１１から導出された２本の多重伝送線Ｌ１００には、各々にアドレスが割り付けられた照度計測端末器２００と調光端末器３００とが接続される。調光端末器３００には、調光制御が行われる蛍光灯４００が接続される。
【０００３】
照明制御装置１００には、照度計測端末器の計測値を演算する演算部１１０と、伝送ドライブ部１１１と、計測範囲のレンジを設定する入力部１１２と、計測値やレンジ設定値を表示する表示部１１３とを備える。
【０００４】
照度計測端末器２００は、演算部２１０と、計測値を多重伝送信号で送出するための伝送ドライブ部２１１と、受光した光を電気信号に変換する受光部２１２と、この電気信号を予め設定されたゲインにより増幅して電圧値として出力する増幅部２１３と、オーバーレンジ表示を行うオーバーレンジ表示部２１４とを備える。
【０００５】
演算部２１０は、Ａ／Ｄ変換部２１０ａによって、電圧値をＡ／Ｄ変換し、データテーブル（不図示）から計測値を得るとともに、計測値が計測範囲の上限付近である場合に、オーバーレンジ判断を行う。
【０００６】
照度計測端末器２００は蛍光灯４００からの反射光を受光し、計測値を多重伝送線Ｌ１００を介して照明制御装置１００に伝送する。また、異なる床面の反射率に対応するためゲインの異なる３つのレンジを有し、計測範囲の上限付近である場合、レンジを換えて使用することを警告するためのオーバーレンジ表示を行う。
【０００７】
照明制御装置１００は、照度計測端末器２００から計測値を受けて、空間を目的とする照度に合わせるために、多重伝送線Ｌ１００を介して調光端末器３００に対して調光レベル信号を送り、蛍光灯４００の調光レベルを制御する。調光端末器３００は、受信した調光レベルに応じた信号を蛍光灯４００に送り、蛍光灯４００の光量を制御する。
【０００８】
図７は、従来の照度計測端末器２００が照明制御装置１００と通信を行うためのデータ仕様を示しており、通常、照明制御装置１００が照度計測端末器２００より情報を得る場合、送信データモード：ＭＤＭ１、コントロール００〜０５ｈを使用し、端末器の種別を示す端末器コード、計測値、現在設定されているレンジ情報を得る。照明制御装置１００が照度計測端末器２００のレンジを設定する場合は、送信データモード：ＭＤＣＴを使用して、設定したいレンジのコードをコントロールデータにのせる。
【０００９】
図８は、従来の照明制御装置の処理手順を示すフローチャートであり、照明制御装置１００が照度計測端末器２００より情報を得、計測値を表示し、計測値を基に調光制御端末器３００への調光制御値を演算し、調光端末器３００へ調光制御するようになっている（Ｓ１００〜Ｓ１０３）。
【００１０】
【発明が解決しようとする課題】
ところが、上記従来の照明制御システムでは、オーバーレンジ表示が行われた場合、照度計測端末器が設置されている箇所でしか判断できず、オーバーレンジによって調光制御が不完全であることが、照明制御システムを管理している管理人がいる照明制御装置が設置されている監視室では判断できないという問題が生じていた。
【００１１】
本発明は、このような事情を考慮してなされたものであり、照度計測端末器にオーバーレンジが発生した場合に、そのことが照明制御装置側で判断できる照明制御システムを提供することを目的としている。
【００１２】
【課題を解決するための手段】
上記目的を達成するために、本発明の請求項１に記載の照明制御システムでは、照度計測端末器は、受光した光を電気信号に変換する受光部と、この電気信号を予め設定されたゲインにより増幅して電圧値として出力する増幅部と、この電圧値よりＡ／Ｄ変換し、データテーブルから計測値を得るとともに、計測値が計測範囲の上限付近である場合に、オーバーレンジ判断を行う演算部と、オーバーレンジ表示を行うオーバーレンジ表示部と、計測値やオーバーレンジ警告を多重伝送信号で送出するための伝送ドライブ部とを備える。
【００１３】
照明制御装置は、照度計測端末器から多重伝送線を介して計測値を受信し、また、オーバーレンジ警告信号を受信するとともに、調光端末器に対して多重伝送線を介して調光信号を送出するための伝送ドライブ部と、受信した計測値を基に、調光制御端末器に送出する調光制御値を演算するとともに、照度計測端末器からのオーバーレンジ警告によりオーバーレンジ警告表示判断を行う演算部と、この判断により警告表示を行う表示部とを備える。照度計測端末器がオーバーレンジ警告を照明制御装置に送出したときには、照明制御装置にてオーバーレンジ警告表示を行うことを特徴とする。
【００１４】
請求項２に記載の照明制御システムでは、照度計測端末器は、受光した光を電気信号に変換する受光部と、この電気信号を予め設定されたゲインにより増幅して電圧値として出力する増幅部と、この電圧値よりＡ／Ｄ変換し、データテーブルから計測値を得るとともに、計測値が計測範囲の下限付近である場合に、オーバーレンジ判断を行う演算部と、オーバーレンジ表示を行うオーバーレンジ表示部と、計測値やオーバーレンジ警告を多重伝送信号で送出するための伝送ドライブ部とを備える。
【００１５】
照明制御装置は、照度計測端末器から多重伝送線を介して計測値を受信し、また、オーバーレンジ警告信号を受信するとともに、調光端末器に対して多重伝送線を介して調光信号を送出するための伝送ドライブ部と、受信した計測値を基に、調光制御端末器に送出する調光制御値を演算するとともに、照度計測端末器からのオーバーレンジ警告によりオーバーレンジ警告表示判断を行う演算部と、この判断により警告表示を行う表示部とを備える。照度計測端末器がオーバーレンジ警告を照明制御装置に送出したときには、照明制御装置にてオーバーレンジ警告表示を行うことを特徴とする。
【００１６】
請求項３では、請求項１又は請求項２において、照明制御装置は、オーバーレンジ警告を受けたときには、照度計測端末器に対して、レンジ変更を制御することを特徴とする。
【００１７】
【発明の実施の形態】
以下に、本発明の実施の形態について、図面とともに説明する。図１は、照明制御システムの構成の一例を示したブロック図である。このシステムでは、照明制御装置１の伝送ドライブ部１１から導出された２本の多重伝送線Ｌには、各々にアドレスが割り付けられた照度計測端末器２と調光端末器３とが接続される。調光端末器３には、調光制御が行われる照明器具として蛍光灯４が接続される。
【００１８】
照度計測端末器２は、蛍光灯４からの反射光を受光し、その計測値を照明制御装置１に送出する。照明制御装置１は、照度計測端末器２からの計測値に基づいて、調光端末器３に対して、蛍光灯４の調光制御を行わせる。
【００１９】
すなわち、照明制御装置１は、照度計測端末器２から計測値を受けて、空間を目的とする照度に合わせるために、多重伝送線Ｌを介して調光端末器３に対して調光レベル信号を送り、蛍光灯４の調光レベルを制御する。調光端末器３は、受信した調光レベルに応じた信号を蛍光灯４に送り、蛍光灯４の光量を制御する。
【００２０】
照明制御装置１には、照度計測端末器２の計測値を演算する演算部１０と、照度計測端末器２から多重伝送線Ｌを介して計測値を受信するとともに、調光端末器３に対して多重伝送線Ｌを介して調光信号を送出するための伝送ドライブ部１１と、計測範囲のレンジを設定する入力部１２と、計測値やレンジ設定値を表示する表示部１３とを備える。
【００２１】
本発明では、照明制御装置１は、伝送ドライブ部１１が照度計測端末器２から多重伝送線Ｌを介してオーバーレンジ警告信号を受信したときに、演算部１０が照度計測端末器２からのオーバーレンジ警告によりオーバーレンジ警告表示判断を行い、表示部１３にオーバーレンジ警告表示を行う。
【００２２】
照度計測端末器２は、演算部２０と、計測値を多重伝送信号で送出するための伝送ドライブ部２１と、受光した光を電気信号に変換する受光部２２と、この電気信号を予め設定されたゲインにより増幅して電圧値として出力する増幅部２３と、オーバーレンジ表示を行うオーバーレンジ表示部２４とを備える。
【００２３】
演算部２０は、Ａ／Ｄ変換部２０ａによって、電圧値をＡ／Ｄ変換し、データテーブル（不図示）から計測値を得るとともに、計測値が計測範囲の上限付近である場合に、レンジを換えて使用することを警告するためオーバーレンジ判断を行う。
【００２４】
照度計測端末器２は、異なる床面の反射率に対応するためゲインの異なる複数（例えば３つ）のレンジを有し、計測範囲の上限付近である場合、レンジを換えて使用することを警告するためのオーバーレンジ表示をオーバーレンジ表示部２４に行う。また、本発明では、照度計測端末器２は、演算部２０がオーバーレンジ判断を行ったときには、伝送ドライブ部２１からオーバーレンジ警告信号を、照明制御装置１に対して送出する。
【００２５】
これによって、本発明の照明制御システムでは、オーバーレンジ表示が行われた場合、照度計測端末器２が設置されている箇所だけではなく、オーバーレンジによって調光制御が不完全であることが、照明制御システムを管理している管理人がいる照明制御装置１が設置されている監視室でも判断できる。
【００２６】
図２は、照度計測端末器２が照明制御装置１と通信を行うためのデータ仕様を示しており、通常、照明制御装置１が照度計測端末器２より情報を得る場合、送信データモード：ＭＤＭ１、コントロール００〜０５ｈを使用し、端末器の種別を示す端末器コード、計測値、現在設定されているレンジ情報を得る。照明制御装置１が照度計測端末器２のレンジを設定する場合は、送信データモード：ＭＤＣＴを使用して、設定したいレンジのコードをコントロールデータにのせる。
【００２７】
ここでは、送信データモード：ＭＤＭ１、コントロール：０５ｈに対する照度計測端末器２の返信データに、オーバーレンジ警告の有無を示す情報を付加している。この情報により、照明制御装置１はオーバーレンジ警告の有無を知ることができる。
【００２８】
図３は、照明制御装置１の処理手順を示すフローチャートであり、照明制御装置１が照度計測端末器２より情報を得たときに、オーバーレンジ警告があれば、オーバーレンジ警告表示を行い（Ｓ１〜Ｓ３）、その後、計測値を表示し、計測値を基に調光制御端末器３への調光制御値を演算し、調光端末器へ調光制御するようになっている（Ｓ４〜Ｓ６）。
【００２９】
図４には、照明制御システムの別の構成の一例を示す。ここに示した照明制御装置１は、図１に示した照明制御装置１とは、演算部１０において、更にレンジ自動変更処理を行う点のみが異なっている。照明制御装置１は、オーバーレンジ警告を受けたときには、照度計測端末器２に対して、レンジ変更を自動的に制御する。
【００３０】
図５は、照明制御装置１の処理手順を示すフローチャートであり、照明制御装置１が照度計測端末器２より情報を得たときに、オーバーレンジ警告があれば、レンジを下げるのが限界でない場合は、レンジ（ゲイン）を１つ下げて再度照度計測端末器２からの情報を得る一方、レンジを下げるのが限界である場合は、オーバーレンジ警告表示を行う（Ｓ１０〜Ｓ１４）。その後、計測値を表示し、計測値を基に調光制御端末器３への調光制御値を演算し、調光端末器へ調光制御する（Ｓ１５〜Ｓ１７）。
【００３１】
なお、以上には、照度計測端末器２は、演算部２０が得た計測値が上限付近である場合に、オーバーレンジ判断を行う場合について説明したが、演算部２０が得た計測値が下限付近である場合に、オーバーレンジ判断を行う場合であってもよい。照明制御装置１が照度計測端末器２より情報を得たときに、オーバーレンジ警告があれば、オーバーレンジ警告表示を行う。この場合、図２に示すデータ仕様に、計測値が上限付近か下限付近かを判別する情報を付加する。
【００３２】
また、レンジ変更を自動的に制御するときは、演算部２０が得た計測値が下限付近である場合、オーバーレンジ警告があれば、レンジを上げるのが限界でない場合は、レンジ（ゲイン）を１つ上げて照度計測端末器２からの情報を得る一方、レンジを上げるのが限界である場合は、オーバーレンジ警告表示を行う。
【００３３】
【発明の効果】
以上の説明からも理解できるように、本発明の請求項１〜請求項３の各々に記載の照明制御システムでは、照度計測端末器がオーバーレンジ警告を照明制御装置に送出したときには、照明制御装置にてオーバーレンジ警告表示を行うので、オーバーレンジによって調光制御が不完全であることが、照度計測端末器が設置されている箇所だけではなく、照明制御システムを管理している管理人がいる照明制御装置が設置されている監視室で判断できる。
【００３４】
特に請求項３では、照明制御装置は、オーバーレンジ警告を受けたときには、照度計測端末器に対して、自動的にレンジ変更を制御することができる。
【図面の簡単な説明】
【図１】本発明の照明制御システムの構成の一例を示すブロック図である。
【図２】照明制御装置と照度計測端末器間で伝送されるデータ仕様の一例を示す図である。
【図３】照明制御装置の動作の一例を示すフローチャートである。
【図４】本発明の照明制御システムの構成の他の例を示すブロック図である。
【図５】照明制御装置の動作の他の例を示すフローチャートである。
【図６】従来の照明制御システムの構成の一例を示すブロック図である。
【図７】従来の照明制御装置と照度計測端末器間で伝送されるデータ仕様の一例を示す図である。
【図８】従来の照明制御装置の動作の一例を示すフローチャートである。
【符号の説明】
１    照明制御装置
１０  演算部
１１  伝送ドライブ部
１２  入力部
１３  表示部
２    照度計測端末器
２０  演算部
２０ａ  Ａ／Ｄ変換部
２１  伝送ドライブ部
２２  受光部
２３  増幅部
２４  オーバーレンジ表示部
３    調光端末器
４    蛍光灯
Ｌ    多重伝送線
【図１】
0004474792.tif 000002
【図２】
0004474792.tif 000003
【図３】
0004474792.tif 000004
【図４】
0004474792.tif 000005
【図５】
0004474792.tif 000006
【図６】
0004474792.tif 000007
【図７】
0004474792.tif 000008
【図８】
0004474792.tif 000009